(57)【要約】【課題】移動間仕切パネルの連接時における衝撃音が伝わりにくい間仕切パネル装置を提供する。【解決手段】透光パネル７を複数左右に連接して空間を複数の区画に仕切る固定間仕切パネル２と、誘導路３に沿って移動し、固定間仕切パネル２の延設方向に交差する方向に連接される移動間仕切パネル４と、を備える間仕切パネル装置１であって、固定間仕切パネル２には、移動間仕切パネル４の側端部を受けるパネル受け部材１４が隣接して配置されており、パネル受け部材１４は固定間仕切パネル２を構成する透光パネル７の表面７ａと離間して配置されている。【選択図】図３
2019143372.tif 000002
【特許請求の範囲】
【請求項１】
透光パネルを複数左右に連接して空間を複数の区画に仕切る固定間仕切パネルと、誘導路に沿って移動し、前記固定間仕切パネルの延設方向に交差する方向に連接される移動間仕切パネルと、を備える間仕切パネル装置であって、
前記固定間仕切パネルには、前記移動間仕切パネルの側端部を受けるパネル受け部材が隣接して配置されており、該パネル受け部材は前記固定間仕切パネルを構成する前記透光パネルの表面と離間して配置されていることを特徴とする間仕切パネル装置。
【請求項２】
前記パネル受け部材は、上下方向に延びて形成され、上下端部が天井側と床側とにそれぞれ固定されていることを特徴とする請求項１に記載の間仕切パネル装置。
【請求項３】
前記固定間仕切パネルを構成する隣接する透光パネルの間には、前記パネル受け部材の一部が配置されていることを特徴とする請求項１または２に記載の間仕切パネル装置。
【請求項４】
前記隣接する透光パネルと前記パネル受け部材の一部とは、弾性接着されていることを特徴とする請求項３に記載の間仕切パネル装置。
【請求項５】
固定間仕切パネルは、前記透光パネルが前後に離間されて形成されており、これら前後に離間する前記透光パネル同士の間に支柱が内在し、該支柱と前記パネル受け部材の一部とが緩衝部材を介して隣接していることを特徴とする請求項１ないし４のいずれかに記載の間仕切パネル装置。
【請求項６】
前記パネル受け部材とは反対側に位置する透光パネルは、隣接する透光パネルと弾性接着されていることを特徴とする請求項１ないし５のいずれかに記載の間仕切パネル装置。
【発明の詳細な説明】
【技術分野】
【０００１】
本発明は、透光パネルを複数左右に連接して空間を複数の区画に仕切る固定間仕切パネルと、誘導路に沿って移動し、固定間仕切パネルに交差する方向に連接される移動間仕切パネルと、を備える間仕切パネル装置に関する。
【背景技術】
【０００２】
オフィス、会議室、ショールーム、店舗等の室内を所定の区画に仕切り、所望の小区画のレイアウトを実現するために、複数の間仕切パネルを左右に連接してなる間仕切パネル装置が使用されている。このような間仕切パネル装置にあっては、連接された間仕切パネルにより室内が天井から床に亘って仕切られ閉塞感を与えることがあるため、間仕切パネルを構成するパネル材にガラス板等を使用した透光パネルを用いて室内空間に開放感を演出するものが知られている（特許文献１参照）。
【０００３】
特許文献１に示される間仕切パネル装置は、天井に設けられる笠木と、床に設けられる巾木と、笠木と巾木の間に立設する一対のスタッドに対して連結されるガラス支持体と、ガラス支持体の前後両面側に設けられる溝にそれぞれ嵌め込まれる複数のガラスパネル（透光パネル）と、から主に構成されている。また、特許文献１の間仕切パネル装置は、スタッドおよびガラス支持体の縦桟に対して別の間仕切パネル装置の側端部をビス等で固定することにより平面視Ｔ字状に連接可能となっている。
【０００４】
また、間仕切パネル装置としては、天井に設けられたレールに吊支され、該レールに沿って移動可能な移動間仕切パネルを連接して室内を所定の区画に仕切ることにより、区画のレイアウト変更を容易に行えるようにしたものも知られている（特許文献２参照）。
【先行技術文献】
【特許文献】
【０００５】
【特許文献１】特開２００４−２３２３１１号公報（第３頁、第２図）
【特許文献２】特許第３８７１１９５号公報（第３頁、第２図）
【発明の概要】
【発明が解決しようとする課題】
【０００６】
ところで、特許文献１に示されるような透光パネルを連接した間仕切パネル装置に対して、特許文献２のように移動間仕切パネルの側端部を突き当てることにより平面視Ｔ字状に連接しようとすると、透光パネルが破損する虞がある。そこで、移動間仕切パネルの側端部と透光パネルとの間に移動間仕切パネルを突き当てるパネル受け部材を立設することが考えられる。このようにした場合、パネル受け部材と固定間仕切パネルを構成する透光パネルとの間からの音の漏れを防ぐために、パネル受け部材は透光パネルの表面に当接するように連接されることが望ましいが、移動間仕切パネルの連接時における衝撃がパネル受け部材から透光パネルの表面に作用し、透光パネルが振動し、不快な衝撃音を発生させる虞がある。
【０００７】
本発明は、このような問題点に着目してなされたもので、移動間仕切パネルの連接時における衝撃音が伝わりにくい間仕切パネル装置を提供することを目的とする。
【課題を解決するための手段】
【０００８】
前記課題を解決するために、本発明の間仕切パネル装置は、
透光パネルを複数左右に連接して空間を複数の区画に仕切る固定間仕切パネルと、誘導路に沿って移動し、前記固定間仕切パネルの延設方向に交差する方向に連接される移動間仕切パネルと、を備える間仕切パネル装置であって、
前記固定間仕切パネルには、前記移動間仕切パネルの側端部を受けるパネル受け部材が隣接して配置されており、該パネル受け部材は前記固定間仕切パネルを構成する前記透光パネルの表面と離間して配置されていることを特徴としている。
この特徴によれば、パネル受け部材が固定間仕切パネルに隣接して配置されているため、移動間仕切パネルにより仕切られる区画同士の間での音の漏れを抑制することができるとともに、パネル受け部材が固定間仕切パネルを構成する透光パネルの表面と離間して配置されているため、移動間仕切パネルの側端部の連接時の衝撃が透光パネルの面方向に加わることを防止し、透光パネルの振動に伴う衝撃音が伝わりにくくなっている。
【０００９】
前記パネル受け部材は、上下方向に延びて形成され、上下端部が天井側と床側とにそれぞれ固定されていることを特徴としている。
この特徴によれば、パネル受け部材の上下端部で固定されているため、移動間仕切パネルの連接時において、パネル受け部材の上下方向の中央部に衝撃が加わりにくく、透光パネルへの振動の伝達を効果的に抑制できる。
【００１０】
前記固定間仕切パネルを構成する隣接する透光パネルの間には、前記パネル受け部材の一部が配置されていることを特徴としている。
この特徴によれば、パネル受け部材の一部により移動間仕切パネルにより仕切られる区画同士の間での音の漏れを効果的に防止することができるとともに、このパネル受け部材が透光パネルの表面に当接しないため、透光パネルへの振動の伝達を抑制できる。
【００１１】
前記隣接する透光パネルと前記パネル受け部材の一部とは、弾性接着されていることを特徴としている。
この特徴によれば、弾性接着により固定間仕切パネルを構成する隣接する透光パネルと延設部との間を遮蔽し、固定間仕切パネルにより仕切られた移動間仕切パネルの反対側の区画への衝撃音の漏れを低減できる。
【００１２】
前記固定間仕切パネルは、前記透光パネルが前後に離間されて形成されており、これら前後に離間する前記透光パネル同士の間に支柱が内在し、該支柱と前記パネル受け部材の一部とが緩衝部材を介して隣接していることを特徴としている。
この特徴によれば、移動間仕切パネルの連接時において、支柱がパネル受け部材の移動を抑えてパネル受け部材の構造強度を高めることができるとともに、緩衝部材を介在させることでパネル受け部材と支柱との衝突音の発生を抑制できる。
【００１３】
前記パネル受け部材とは反対側に位置する透光パネルは、隣接する透光パネルと弾性接着されていることを特徴としている。
この特徴によれば、固定間仕切パネルのパネル受け部材の反対側に配置される透光パネルが左右に連接され、これらの表面の連続性が維持され、美観に優れる。
【図面の簡単な説明】
【００１４】
【図１】本発明の実施例１における間仕切パネル装置に移動間仕切パネルを連接させた様子を示す斜視図である。
【図２】固定間仕切パネルの構造を示す側面視の断面図である。
【図３】固定間仕切パネルに向けて移動間仕切パネルを移動させる様子を示す側面図である。
【図４】パネル受け部材の構造を示す側面図である。
【図５】パネル受け部材の固定構造を示す平面視の概念図である。
【図６】固定間仕切パネルに向けて移動間仕切パネルを移動させる様子を示す平面視の断面図である。
【図７】固定間仕切パネルに移動間仕切パネルを連接させた様子を示す平面視の断面図である。
【図８】本発明の実施例２における固定間仕切パネルに移動間仕切パネルを連接させた様子を示す平面視の断面図である。
【発明を実施するための形態】
【００１５】
本発明に係る間仕切パネル装置を実施するための形態を実施例に基づいて以下に説明する。
【実施例１】
【００１６】
実施例１に係る間仕切パネル装置につき、図１から図７を参照して説明する。
【００１７】
図１に示されるように、間仕切パネル装置１は、例えば、学校やオフィス等の建物内の部屋や空間を複数の区画に仕切って分割するために、天井Ｒから床Ｆに亘って複数のパネルを取付けてなるものであり、区画空間の開放感を演出するために透明のガラスパネル７（透光パネル）が使用され、強度や遮音性に優れる。間仕切パネル装置１は、固定間仕切パネル２と、天井Ｒに固定されたレール３（誘導路）と、レール３に沿って移動する移動間仕切パネル４とを備えている。レール３は、固定間仕切パネル２の延設方向に交差する方向に敷設されている。
【００１８】
図１に示されるように、固定間仕切パネル２は、天井Ｒに固定される上部パネル支持体５と、床Ｆに固定される下部パネル支持体６との間に複数のガラスパネル７，７，…を備えて構成されている。
【００１９】
図２に示されるように、ガラスパネル７は上部パネル支持体５と下部パネル支持体６との間に前後に離間させて取付けられており、固定間仕切パネル２は所謂二重ガラスパネル構造になっている。また、図６に示されるように、左右に隣接するガラスパネル７，７，…の対向端部同士は、透明度の高い樹脂製のジョイント材３０が充填されることにより、上下方向に延びる枠材を使用しなくとも左右方向の連結が可能になっており、隣接するガラスパネル７，７同士の表面７ａ，７ａが面一に連続し、美観に優れる。
【００２０】
ガラスパネル７は、２枚の透明な板ガラス７１，７１を重合して強化された合わせガラスとなっている。尚、板ガラス７１，７１は、透明度の高いポリカーボネートやアクリル樹脂製を使用してもよい。
【００２１】
図２に示されるように、上部パネル支持体５は、天井Ｒに図示しない複数のボルトにより固定される側面視下向きコ字状の笠木２０と、笠木２０の下方から外嵌され、笠木２０の内部に設けられる複数の吊支金具２１により高さ調整可能に吊支される上部支持部材２２と、から主に構成されている。尚、上部パネル支持体５を構成する笠木２０と上部支持部材２２は、アルミ合金製の押出成形品である。
【００２２】
上部支持部材２２は、前後に形成される側面視下向き略コ字状のパネル支持部２２ａ，２２ａにガラスパネル７，７の上端部に固定された取付部材２３，２３が挿入されるようになっている。また、上部支持部材２２の前後面側には、カバー部材２４，２４が取付けられることにより、上部支持部材２２へのガラスパネル７，７の取付け構造の露見を防止できるようになっている。
【００２３】
また、下部パネル支持体６は、床Ｆに図示しない複数のボルトにより固定される側面視上向きコ字状の巾木２５と、巾木２５の上方から外嵌され、巾木２５の内部に設けられる支持金具２６により高さ調整可能に支持される下部支持部材２７と、から主に構成されている。尚、下部パネル支持体６を構成する巾木２５と下部支持部材２７は、アルミ合金製の押出成形品である。
【００２４】
下部支持部材２７は、前後に形成されるパネル支持部２７ａ，２７ａにガラスパネル７，７の下端部に固定された取付部材２８，２８が載置されるようになっており、カバー部材２９，２９が取付けられることにより、下部支持部材２７へのガラスパネル７，７の取付け構造の露見を防止できるようになっている。
【００２５】
図３及び図４に示されるように、レール３は天井Ｒに一部埋め込まれて固定されている。レール３には、レール３に沿って移動可能な一対の吊支部材９，９により移動間仕切パネル４が吊支されている。ここでは移動間仕切パネル４は１つのみ図示しているが、移動間仕切パネル４は複数連接することで、空間を区画するものである。
【００２６】
図６に示されるように、移動間仕切パネル４は、前後に間隔をおいて対向配置される一対のガラスパネル１０，１０と、ガラスパネル１０，１０を一体に保持する四方枠形状の枠部材１１とを備えて二重ガラスパネル構造を成している。本実施例では、ガラスパネル１０，１０と枠部材１１とが一体化されてパネル本体を構成している。枠部材１１の上下端部には、上部閉塞部材１２及び下部閉塞部材１３が収納されており、図示しない進退機構により、これら上部閉塞部材１２及び下部閉塞部材１３がパネル本体から天井Ｒ側及び床Ｆ側に進退動作可能となっている。
【００２７】
パネル材としては透明のガラスパネル１０が使用されており、移動間仕切パネル４によって仕切られる室内空間の開放感を演出することができるとともに、強度や遮音性に優れているが、透明度の高いポリカーボネートやアクリル樹脂製や、透光性を備えていないパネル材であってもよい。
【００２８】
図３に示されるように、上部閉塞部材１２および下部閉塞部材１３は、枠部材１１の上下端部に収納された状態において、パネル本体よりも前方側（連接位置への進行方向）に向かって左端部（先端部）が突出しており、固定間仕切パネル２に連接されることにより、パネル本体側に押し込まれる。この押し込まれる際の動作は進退機構により上下方向の進出移動に変換され、上部閉塞部材１２はレール３の下面に、下部閉塞部材１３は床Ｆにそれぞれ圧接され、密閉性及び遮音性が高められる。
【００２９】
図４に示されるように、レール３は、固定間仕切パネル２の笠木２０及び巾木２５の直前の位置まで延びて配置されている。
【００３０】
図４に示されるように、固定間仕切パネル２と移動間仕切パネル４との連接箇所には、パネル受け部材１４が配置されている。パネル受け部材１４は、受け部本体１５と延設部１６とから主に構成されている。図５に示されるように、受け部本体１５は、アルミ合金製または鋼製の板材を略Ｃ字状に折り曲げて中空に構成されている。延設部１６は、２つのコ字状の板材の開口部を対向させて入れ子状に組み合わせて平面視で中空の矩形状に構成されており、上端には、幅方向両端に固定片３１，３１が延設されている。
【００３１】
パネル受け部材１４の一部を構成する延設部１６は、レール３の下面から床Ｆにかけて延設され、上端はレール３の下面３ａに対して固定片３１，３１がビス固定されている。床ＦにはＬ字状のＬ字金具３２がビス固定されており、延設部１６の下端はＬ字金具３２を外嵌するように配置されて前後左右の移動が規制されている。Ｌ字金具３２は、起立面部３２ａが受け部本体１５側に面して形成されており、延設部１６の受け部本体１５側の内面１６ａと起立面部３２ａとが対向して配置される。
【００３２】
図６に示されるように、延設部１６は、固定間仕切パネル２における移動間仕切パネル４と連接される側を構成する隣接するガラスパネル７，７の対向端部７ｂ，７ｂの間に配置されている。また、ガラスパネル７，７を支持する下部支持部材２７（図２参照。）は、延設部１６を挟んで分断されている。ここでは図示しないが、同様にガラスパネル７，７を支持する上部支持部材２２は、延設部１６を挟んで分断されている。
【００３３】
延設部１６とガラスパネル７，７の対向端部７ｂ，７ｂとの間には、透明度の高い樹脂製のジョイント材３０が配置され、これらの間が弾性接着により遮蔽されており、固定間仕切パネル２により仕切られ、移動間仕切パネル４の反対側の区画への衝撃音の漏れを低減できる。
【００３４】
延設部１６の取り付け態様について説明すると、延設部１６は、下端を床Ｆにビス固定されたＬ字金具３２に外嵌させた後、上端の固定片３１，３１をレール３の下面に対してビス固定させて天井Ｒ側から床Ｆに亘り立設される。
【００３５】
また、床ＦにおけるＬ字金具３２よりも移動間仕切パネル４側には、Ｌ字金具３３，３３が所定間隔で離間してビス固定されている。Ｌ字金具３３は、起立面部３３ａ，３３ａ同士が対向するように線対称に配置されている。受け部本体１５は、下端を床Ｆにビス固定されたＬ字金具３３に外嵌させた後、上端側で延設部１６にビス３４により延設部１６に対して固定される。このとき、受け部本体１５の内面を構成する幅方向の両側面１５ａ，１５ａに、起立面部３３ａ，３３ａがそれぞれ対向して配置されるようになっており、起立面部３３ａ，３３ａが受け部本体１５の幅方向の位置決め手段及び移動規制手段として機能する。
【００３６】
図６に示されるように、延設部１６はガラスパネル７，７の対向端部７ｂ，７ｂとの間からガラスパネル７，７の表面７ａ，７ａよりも移動間仕切パネル４側に突出して固定されていることから、延設部１６の移動間仕切パネル４側に固定された受け部本体１５とガラスパネル７，７の表面７ａ，７ａとが離間している。
【００３７】
以上説明したように、パネル受け部材１４を構成する延設部１６が固定間仕切パネル２に隣接して配置されているため、移動間仕切パネル４により仕切られる区画同士の間での音や光の漏れを防止することができるとともに、図７に示されるように、移動間仕切パネル４を固定間仕切パネル２にパネル受け部材１４を介して連接させる際に、移動間仕切パネル４が直接衝突するパネル受け部材１４を構成する受け部本体１５が固定間仕切パネル２を構成するガラスパネル７の表面７ａと離間して配置されているため、移動間仕切パネル４の側端部の連接時の衝撃がガラスパネル７の表面７ａ方向に加わることを防止し、ガラスパネル７，７の振動に伴う衝撃音は移動間仕切パネル４により仕切られる区画や固定間仕切パネル２によって仕切られる区画に伝わりにくい。
【００３８】
また、固定間仕切パネル２は、ガラスパネル７が前後に離間させて取付けられた所謂二重ガラスパネル構造であるため、移動間仕切パネル４の側端部の連接時の衝撃音はガラスパネル７，７の間で反復し、対向する反対側のガラスパネル７側の区画に音が伝達され難い。
【００３９】
また、パネル受け部材１４は、天井Ｒ側と床Ｆ側とに上下端部を固定されているため、移動間仕切パネル４の連接時において、パネル受け部材１４の上下方向の中央部に衝撃が加わりにくく、ガラスパネル７への振動の伝達を効果的に抑制できる。
【００４０】
また、固定間仕切パネル２を構成する隣接するガラスパネル７，７の間にパネル受け部材１４を構成する延設部１６が挿入配置されることで、延設部１６により移動間仕切パネル４により仕切られる区画同士の間での音の漏れを効果的に防止することができるとともに、延設部１６がガラスパネル７，７の表面７ａ，７ａ方向に当接しないため、ガラスパネル７，７への振動の伝達を抑制できる。
【００４１】
また、パネル受け部材１４は受け部本体１５と延設部１６とが別体に形成されているため、その寸法や形状の設定が容易であり、移動間仕切パネル４が直接衝突する受け部本体１５に比べて延設部１６の幅を小さくし、延設部１６を目立ち難くすることができる。
【００４２】
また、受け部本体１５の上下部側には、上部閉塞部材１２および下部閉塞部材１３が当接する弾性部材により形成された緩衝部３５，３６が備えられており、上部閉塞部材１２および下部閉塞部材１３をパネル本体側に押し込む際の応力のかかる部分において、緩衝性能が一層高められている。
【００４３】
また、本実施例の間仕切パネル装置１において、固定間仕切パネル２はガラスパネル７を連接して形成され、これらガラスパネル７，７，…は透明度の高い樹脂製のジョイント材３０で接着されており、ガラスパネル７，７，…を支持するための支柱を極力用いない構成としている。ところで、ガラスは比較的衝撃に弱いことに加え、振動により高音の振動音が発生する虞がある。そのため、ガラスパネル７と移動間仕切パネル４の側端部との間にパネル受け部材１４を設置して、移動間仕切パネル４がガラスパネル７に直接衝突しない構成として、ガラスパネル７の破損の防止と振動音の発生が効果的に防止されている。
【実施例２】
【００４４】
次に、実施例２に係る間仕切パネル装置につき、図８を参照して説明する。尚、前記実施例に示される構成部分と同一構成部分については同一符号を付して重複する説明を省略する。
【００４５】
図８に示されるように、固定間仕切パネル２’は、前後に離間するガラスパネル７，７の間に支柱４０が内在している。支柱４０は図示しない固定手段により上下端部が笠木２０と巾木２５とにそれぞれ固定されており、支柱４０とパネル受け部材１４の延設部１６とは、緩衝部材４１を介して隣接している。
【００４６】
また、支柱本体４２には、緩衝部材４１及びガラスパネル７，７の対向端部に凹溝（図示略）が上下に亘り形成されており、この凹部に上下に延びる弾性部材４３，４３がそれぞれ嵌入されている。このように、支柱４０は上下端部が固定されて延設部１６の移動を抑えてパネル受け部材１４の構造強度を高めることができる。
【００４７】
また、延設部１６と支柱４０との間に緩衝部材４１を介在させることで延設部１６と支柱４０との衝突音の発生を防止できる。更に、支柱本体４２の対向端部に嵌入された弾性部材４３，４３が緩衝部材４１と支柱本体４２との間と、支柱本体４２とガラスパネル７，７との間にそれぞれ介在することで、パネル受け部材１４に加わる衝撃が延設部１６と対向するガラスパネル７，７側へ伝達し難い。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例におけるパネル受け部材１４は、レール３と床Ｆとに固定される延設部１６に受け部本体１５を固定する構成で説明したが、これに限らず、例えば移動間仕切パネル４が直接連接される受け部本体に相当する部分と、ガラスパネル７，７の対向端部７ｂ，７ｂとの間に挿入配置される延設部に相当する部分とを一体に形成したパネル受け部材とし、このパネル受け部材の上下端部をレール３と床Ｆとに固定してもよい。
【００５０】
また、パネル受け部材は、移動間仕切パネル４が直接連接される受け部本体に相当する部材の上下端部をレール３と床Ｆとに固定し、延設部に相当する部分を受け部本体に相当する部材に固定してもよい。更に、このように延設部に相当する部分がパネル受け部材の取り付け構造として機能しない場合には、延設部に相当する部分をゴムや合成樹脂性等の弾性部材で構成してもよく、延設部に相当する部分はガラスパネル７，７の対向端部７ｂ，７ｂとの間に挿入配置せずにガラスパネル７，７の表面７ａ，７ａに当接して配置される構成としてもよい。尚、延設部に相当する部分をゴムや合成樹脂性等の弾性部材で構成した場合には、受け部本体に相当する部材に固定せず、受け部本体に相当する部材とガラスパネル７，７の表面７ａ，７ａとの間に押し込んで設置するようにしてもよい。更に、パネル受け部材は固定間仕切パネルに隣接して配置されていれば、十分に光や音の遮蔽する効果を奏するため、パネル受け部材と透光パネル７の表面７ａとが若干離間していてもよい。
【００５１】
また、レール３は笠木２０に近接する位置まで形成されていなくとも、移動間仕切パネル４の側端部がパネル受け部材１４に連接された状態において、移動間仕切パネル４のパネル受け部材１４側の吊支部材９がレール３に吊支されるだけの長さ寸法を備えていればよく、この場合、パネル受け部材１４を構成する延設部１６の上端は天井Ｒに直接固定されてもよい。
【００５２】
また、前記実施例において固定間仕切パネル２は、ガラスパネル７が前後に離間させて取付けられた所謂二重ガラスパネル構造として説明したが、これに限らず、一枚のガラスパネルにより空間を仕切る構造であってもよい。移動間仕切パネル４も同様に、一枚のガラスパネルにより空間を仕切る構造であってもよく、移動間仕切パネル４に関しては透光性を備えていないパネル材を用いてもよい。
【００５３】
また、前記実施例においてパネル受け部材１４を構成する延設部１６は、上端がレール３に固定され、下端は床Ｆに固定されたＬ字金具３２に外嵌させることで立設される構成で説明したが、これに限らず、例えば延設部１６は上端を上部支持部材２２に、下端を下部支持部材２７に固定してもいいし、笠木２０と巾木２５に固定してもよい。
【００５４】
また、移動間仕切パネル４は、誘導路としてのレール３に吊支され、レール３に沿って移動する構成に限らず、例えば床Ｆに誘導路として走行レールを敷設し、移動間仕切パネルには走行レール上を走行するローラを備えることで、移動間仕切パネルの荷重を床Ｆ側に支持させる構成としてもよい。
【００５５】
また、前記実施例において固定間仕切パネル２のガラスパネル７，７を支持する下部支持部材２７と上部支持部材２２とは、パネル受け部材１４の延設部１６を挟んで分断されている構成で説明したが、これに限らず、下部支持部材２７と上部支持部材２２とは、延設部１６と干渉する箇所に一部切り欠きを形成し、分断されてない構成としてもよい。
【００５６】
また、前記実施例において固定間仕切パネル２と移動間仕切パネル４とは、直角に連接される例で説明したが、互いが交差する方向であれば連接する角度は直角に限らない。
【００５７】
また、前記実施例においては、固定間仕切パネル２の前後方向の一方側にのみパネル受け部材１４を配置して固定間仕切パネル２と移動間仕切パネル４とを略Ｔ字に連接する構成で説明したが、例えば固定間仕切パネル２の前後方向の両側にパネル受け部材をそれぞれ配置し、固定間仕切パネル２の両側に移動間仕切パネル４を連接する、すなわち固定間仕切パネル２と移動間仕切パネル４とを略十字に連接する構成であってもよい。
【符号の説明】
【００５８】
１                間仕切パネル装置
２                固定間仕切パネル
３                レール
４                移動間仕切パネル
５                上部パネル支持体
６                下部パネル支持体
７                ガラスパネル
７ａ              表面
７ｂ              対向端部
９                吊支部材
１０              ガラスパネル
１１              枠部材
１４              パネル受け部材
１５              受け部部本体
１６              延設部（パネル受け部材の一部）
２０              笠木
２５              巾木
３１              固定片
３２              Ｌ字金具
３２ａ            起立面部
３２              Ｌ字金具
３３ａ            起立面部
３４              ビス
４０              支柱
４１              緩衝部材
４２              支柱本体
４３              弾性部材
Ｆ                床
Ｒ                天井
【図１】
2019143372.tif 000003
【図２】
2019143372.tif 000004
【図３】
2019143372.tif 000005
【図４】
2019143372.tif 000006
【図５】
2019143372.tif 000007
【図６】
2019143372.tif 000008
【図７】
2019143372.tif 000009
【図８】
2019143372.tif 000010